(57)【要約】 【課題】  ノンリニア編集システム等において、ＶＴＲやその他のビデオデータ再生装置から、非圧縮のＨＤＴＶ信号のような高解像度のビデオデータを、高速にコンピュータに転送してファイルとして登録する。【解決手段】  記録媒体に記録されたビデオデータを再生するビデオデータ再生装置１に、ＬＡＮ３への接続手段と、シリアル転送，パラレル転送のうちのいずれかの転送方式の高速インタフェース４への接続手段と、記録媒体に記録されたビデオデータのうちの一定の範囲のビデオデータをファイルとして指定するファイル情報と、このファイル情報で指定された範囲のビデオデータの転送を要求する転送コマンドとをＬＡＮ３経由で受信したことに基づき、このファイル情報で指定された範囲のビデオデータを記録媒体から再生し、再生したビデオデータを高速インタフェース４経由で転送する処理手段とを備える。【選択図】  図１
2005333245.tif 000002
【特許請求の範囲】
【請求項１】
記録媒体に記録されたビデオデータを再生するビデオデータ再生装置において、
ローカルエリアネットワークへの接続手段と、
シリアル転送，パラレル転送のうちのいずれかの転送方式の高速インタフェースへの接続手段と、
前記記録媒体に記録されたビデオデータのうちの一定の範囲のビデオデータをファイルとして指定するファイル情報と、前記ファイル情報で指定された範囲のビデオデータの転送を要求する転送コマンドとを前記ローカルエリアネットワーク経由で受信したことに基づき、前記ファイル情報で指定された範囲のビデオデータを前記記録媒体から再生し、再生したビデオデータを前記高速インタフェース経由で転送する処理手段と
を備えたことを特徴とするビデオデータ再生装置。
【請求項２】
請求項１に記載のビデオデータ再生装置において、
ビデオデータの再生コマンドを前記ローカルエリアネットワーク経由で受信したことに基づき、前記記録媒体からビデオデータを再生し、再生したビデオデータをプロキシビデオデータにデコードして、前記ローカルエリアネットワーク，前記高速インタフェースのいずれかを経由して転送する処理手段
をさらに備えたことを特徴とするビデオデータ再生装置。
【請求項３】
請求項１に記載のビデオデータ再生装置において、
前記高速インタフェースは、ファイバチャネルであることを特徴とするビデオデータ再生装置。
【請求項４】
請求項１に記載のビデオデータ再生装置において、
前記ビデオデータ再生装置は、テープ状記録媒体に記録されたビデオデータを再生することを特徴とするビデオデータ再生装置。
【請求項５】
記録媒体に記録されたビデオデータを再生するビデオデータ再生装置であって、ローカルエリアネットワークへの接続手段と、シリアル転送，パラレル転送のうちのいずれかの転送方式の高速インタフェースへの接続手段とを有するビデオデータ再生装置と、
前記ローカルエリアネットワークへの接続手段及び前記高速インタフェースへの接続手段を有するコンピュータと
が前記ローカルエリアネットワークと前記高速インタフェースとの両方で接続されており、
前記ビデオデータ再生装置は、前記記録媒体に記録されたビデオデータのうちの一定の範囲のビデオデータをファイルとして指定するファイル情報と、前記ファイル情報で指定された範囲のビデオデータの転送を要求する転送コマンドとを前記ローカルエリアネットワーク経由で受信したことに基づき、前記ファイル情報で指定された範囲のビデオデータを前記記録媒体から再生し、再生したビデオデータを前記高速インタフェース経由で前記コンピュータに転送し、
前記コンピュータは、前記高速インタフェース経由で受信したビデオデータをファイルとして登録する
ことを特徴とするビデオデータ転送システム。
【請求項６】
請求項５に記載のビデオデータ転送システムにおいて、
前記コンピュータが、前記ファイル情報及び前記転送コマンドを、前記ローカルエリアネットワーク経由で前記ビデオデータ再生装置に送信することを特徴とするビデオデータ転送システム。
【請求項７】
請求項５に記載のビデオデータ転送システムにおいて、
前記ビデオデータ再生装置は、ビデオデータの再生コマンドを前記ローカルエリアネットワーク経由で受信したことに基づき、前記記録媒体からビデオデータを再生し、再生したビデオデータをプロキシビデオデータにデコードして、前記ローカルエリアネットワーク，前記高速インタフェースのいずれかを経由して前記再生コマンドの送信元のノードに転送する
ことを特徴とするビデオデータ転送システム。
【請求項８】
請求項５に記載のビデオデータ転送システムにおいて、
前記高速インタフェースは、ファイバチャネルであることを特徴とするビデオデータ転送システム。
【請求項９】
請求項５に記載のビデオデータ転送システムにおいて、
前記ビデオデータ再生装置は、テープ状記録媒体に記録されたビデオデータを再生することを特徴とするビデオデータ転送システム。
【請求項１０】
記録媒体に記録されたビデオデータを再生するビデオデータ再生装置であって、ローカルエリアネットワークへの接続手段と、シリアル転送，パラレル転送のうちのいずれかの転送方式の高速インタフェースへの接続手段とを有するビデオデータ再生装置と、
前記ローカルエリアネットワークへの接続手段及び前記高速インタフェースへの接続手段を有するコンピュータと
が前記ローカルエリアネットワークと前記高速インタフェースとの両方で接続されており、
前記コンピュータと、ランダムアクセス可能な記録装置とが、前記高速インタフェースで接続されており、
前記ビデオデータ再生装置は、前記記録媒体に記録されたビデオデータのうちの一定の範囲のビデオデータをファイルとして指定するファイル情報と、前記ファイル情報で指定された範囲のビデオデータの転送を要求する転送コマンドとを前記ローカルエリアネットワーク経由で受信したことに基づき、前記ファイル情報で指定された範囲のビデオデータを前記記録媒体から再生し、再生したビデオデータを前記高速インタフェース経由で前記コンピュータに転送し、
前記コンピュータは、前記高速インタフェース経由で受信したビデオデータを、ファイルとして登録した後、前記高速インタフェース経由で前記記録装置に転送して前記記録装置に格納させる
ことを特徴とするビデオデータ転送システム。
【請求項１１】
請求項１０に記載のビデオデータ転送システムにおいて、
前記コンピュータが、前記ファイル情報及び前記転送コマンドを、前記ローカルエリアネットワーク経由で前記ビデオデータ再生装置に送信することを特徴とするビデオデータ転送システム。
【請求項１２】
請求項１０に記載のビデオデータ転送システムにおいて、
前記ビデオデータ再生装置は、ビデオデータの再生コマンドを前記ローカルエリアネットワーク経由で受信したことに基づき、前記記録媒体からビデオデータを再生し、再生したビデオデータをプロキシビデオデータにデコードして、前記ローカルエリアネットワーク，前記高速インタフェースのいずれかを経由して前記再生コマンドの送信元のノードに転送する
ことを特徴とするビデオデータ転送システム。
【請求項１３】
請求項１０に記載のビデオデータ転送システムにおいて、
前記高速インタフェースは、ファイバチャネルであることを特徴とするビデオデータ転送システム。
【請求項１４】
請求項１０に記載のビデオデータ転送システムにおいて、
前記ビデオデータ再生装置は、テープ状記録媒体に記録されたビデオデータを再生することを特徴とするビデオデータ転送システム。
【発明の詳細な説明】
【技術分野】
【０００１】
本発明は、ＶＴＲ等のビデオデータ再生装置からコンピュータにビデオデータを転送するためのシステムに関し、特に、高解像度のビデオデータを高速に転送できるようにしたものに関する。
【背景技術】
【０００２】
テレビ番組やシネマ作品といったビデオ作品の制作過程のうち、ポストプロダクション（編集以降完成までの仕上げ工程）では、一般に、コンピュータやランダムアクセス可能な記録装置等で構成されるノンリニア編集システムを用いて、ビデオデータの編集を行っている。こうしたノンリニア編集システムでは、コンピュータのＯＳが持つファイルシステムにより、ビデオデータがファイル単位で管理される。そのため、撮影現場でビデオテープに記録されたビデオデータを、ノンリニア編集システムにファイルとして登録することが必要となる。
【０００３】
このファイルの登録方法としては、従来は、次の（ａ）または（ｂ）の方法が主に採用されていた。
【０００４】
（ａ）ノンリニア編集システム内のコンピュータに、ビデオデータをキャプチャーするＰＣＩカード（例えばＳＤＩカード）を装着する。ＶＴＲでリアルタイムに再生したビデオデータを、このＰＣＩカードを介してコンピュータに転送し、コンピュータでそのビデオデータをファイルとして登録する。
【０００５】
（ｂ）ＶＴＲでリアルタイムに再生したビデオデータを、ハードディスクレコーダに転送し、このハードディスクレコーダでファイルとして登録する。そして、そのファイルをハードディスクレコーダからノンリニア編集システムに転送する。
【０００６】
しかし、上記（ａ）の方法では、ＰＣＩカードの動作環境がコンピュータのハードウェア（ＣＰＵやメモリ等）やＯＳに依存するので、ノンリニア編集システムに用いるコンピュータを新たな機種に取り替えたときや、ＯＳのバージョンアップがあったときに、ＰＣＩカードも取り替えなければならないことがある。
【０００７】
また、上記（ｂ）の方法では、ハードディスクレコーダを追加して設けなければならないので、システムが大型化してしまう。
【０００８】
これに対し、上記（ａ），（ｂ）の方法のような不都合を解消するために、ＶＴＲ自体にＬＡＮのインタフェースを設けて、ＶＴＲとノンリニア編集システム内のコンピュータとを直接ＬＡＮで接続し、ＶＴＲから一定の範囲のビデオデータをファイルとしてコンピュータに転送するという方法も提案されている（例えば、特許文献１参照。）。
【特許文献１】特開２００３−８７６９９号公報（段落番号００２１〜００２９、図１〜２）。
【発明の開示】
【発明が解決しようとする課題】
【０００９】
このようにＶＴＲ自体からビデオデータをファイルとしてＬＡＮ経由で転送すれば、上記（ａ）の方法のようにコンピュータのハードウェアやＯＳに依存することなく、且つ、上記（ｂ）の方法のようにシステムの大型化を招くことなく、ビデオデータをノンリニア編集システムにファイルとして登録することができる。
【００１０】
ところが、ＬＡＮ経由でビデオデータのファイルを転送する場合には、ＩＰパケットの処理のために、コンピュータのＣＰＵに大きな負荷がかかる。そのため、例えばギガ・イーサネット（「イーサネット」は登録商標）のような転送速度の高いＬＡＮを利用しても、実効スループットは３００Ｍｂｐｓ程度が限界である。
【００１１】
ビデオカセットテープに記録されたビデオデータが、ＳＤＴＶ信号または圧縮したＨＤＴＶ信号である場合には、データレートが数十Ｍｂｐｓ程度なので、３００Ｍｂｐｓ程度のスループットで十分である。
【００１２】
しかし、非圧縮のＨＤＴＶ信号である場合には、データレートが最大で２Ｇｂｐｓ近くになる。そのため、３００Ｍｂｐｓ程度のスループットでは、例えば、１分間のシーンのビデオデータをファイルとして転送するために数分以上の時間がかかってしまうことになる。このように転送時間が長くかかることは、編集を行う上で非常に不便である。
【００１３】
さらに、将来はＨＤＴＶ信号を超える高解像度（例えば３８４０×２１６０画素）の信号の実用化も期待されているが、そうした高解像度の信号ではさらにデータレートが高くなるので、転送時間の長時間化の問題が一層深刻になると予想される。
【００１４】
本発明は、上述の点に鑑み、ノンリニア編集システム等において、ＶＴＲやその他のビデオデータ再生装置から、非圧縮のＨＤＴＶ信号のような高解像度のビデオデータを、高速にコンピュータに転送してファイルとして登録できるようにすることを課題としてなされたものである。
【課題を解決するための手段】
【００１５】
この課題を解決するために、本発明に係るビデオデータ再生装置は、記録媒体に記録されたビデオデータを再生するビデオデータ再生装置において、ＬＡＮへの接続手段と、シリアル転送，パラレル転送のうちのいずれかの転送方式の高速インタフェースへの接続手段と、記録媒体に記録されたビデオデータのうちの一定の範囲のビデオデータをファイルとして指定するファイル情報と、このファイル情報で指定された範囲のビデオデータの転送を要求する転送コマンドとをＬＡＮ経由で受信したことに基づき、このファイル情報で指定された範囲のビデオデータを記録媒体から再生し、再生したビデオデータをこの高速インタフェース経由で転送する処理手段とを備えたことを特徴とする。
【００１６】
このビデオデータ再生装置は、ＬＡＮへの接続手段を有するだけでなく、シリアル転送，パラレル転送のうちのいずれかの転送方式の高速インタフェースへの接続手段を有しており、一定範囲のビデオデータをファイルとして指定するファイル情報とそのビデオデータの転送を要求する転送コマンドとをＬＡＮ経由で受信すると、そのビデオデータを、高速インタフェース経由でファイルとして転送する。
【００１７】
したがって、このビデオデータ再生装置とコンピュータとをＬＡＮとこの高速インタフェースとの両方で接続し、このコンピュータからＬＡＮ経由で一定範囲のビデオデータをファイルとして指定するファイル情報（すなわちファイルの登録のために必要なファイル情報）及び転送コマンドをこのビデオデータ再生装置に送信すれば、このビデオデータ再生装置から、ファイルとして指定した範囲のビデオデータが高速インタフェース経由でこのコンピュータに転送される。
【００１８】
このように、ファイルの登録のために必要なファイル情報や転送コマンドは、高速インタフェースではなくＬＡＮ経由で（すなわち高速インタフェースに特有のプロトコルではなくｈｔｔｐプロトコル等の一般的なプロトコルで）送信し、他方、データ量の大きいビデオデータのほうは、高速転送が可能な高速インタフェース経由で転送する、という経路の使い分けを行うことにより、コンピュータのＣＰＵの負荷を軽減することができるとともに、高解像度のビデオデータを、ビデオデータ再生装置から高速にコンピュータに転送して、コンピュータでファイルとして登録することができる。
【００１９】
なお、このビデオデータ再生装置において、一例として、ビデオデータの再生コマンドをＬＡＮ経由で受信したことに基づき、記録媒体からビデオデータを再生し、再生したビデオデータをプロキシビデオデータにデコードして、ＬＡＮ，高速インタフェースのいずれかを経由して転送する処理手段をさらに備えることが好適である。
【００２０】
それにより、このビデオデータ再生装置とコンピュータとをＬＡＮと高速インタフェースとの両方で接続した場合に、このコンピュータからＬＡＮ経由でビデオデータの再生コマンドをこのビデオデータ再生装置に送信すれば、このビデオデータ再生装置から、プロキシビデオデータがＬＡＮまたは高速インタフェース経由でこのコンピュータに転送される。
【００２１】
したがって、ファイルの登録のために必要なファイル情報（一定範囲のビデオデータをファイルとして指定するファイル情報）をビデオデータ再生装置に送信する前に、コンピュータにプロキシビデオデータをモニター表示させて、ファイルとして登録しようとするビデオデータの範囲を決定することができるようになる。
【００２２】
また、このビデオデータ再生装置において、一例として、高速インタフェースとしてファイバチャネルを利用することが好適である。それにより、比較的単純なプロトコルであるＳＣＳＩプロトコルによって、高解像度のビデオデータを高速にコンピュータに転送することができるようになる。
【００２３】
また、このビデオデータ再生装置は、一例としてテープ状記録媒体に記録されたビデオデータを再生することが好適である。それにより、テープ状記録媒体に記録された高解像度のビデオデータを、高速にコンピュータに転送することができるようになる。
【００２４】
次に、本発明に係るビデオデータ転送システムは、記録媒体に記録されたビデオデータを再生するビデオデータ再生装置であって、ＬＡＮへの接続手段と、シリアル転送，パラレル転送のうちのいずれかの転送方式の高速インタフェースへの接続手段とを有するビデオデータ再生装置と、ＬＡＮへの接続手段及びこの高速インタフェースへの接続手段を有するコンピュータとがＬＡＮとこの高速インタフェースとの両方で接続されており、このビデオデータ再生装置は、記録媒体に記録されたビデオデータのうちの一定の範囲のビデオデータをファイルとして指定するファイル情報と、このファイル情報で指定された範囲のビデオデータの転送を要求する転送コマンドとをＬＡＮ経由で受信したことに基づき、このファイル情報で指定された範囲のビデオデータを記録媒体から再生し、再生したビデオデータをこの高速インタフェース経由でこのコンピュータに転送し、このコンピュータは、この高速インタフェース経由で受信したビデオデータをファイルとして登録することを特徴とする。
【００２５】
このビデオデータ転送システムでは、ビデオデータ再生装置が、ＬＡＮへの接続手段を有するだけでなく、シリアル転送，パラレル転送のうちのいずれかの転送方式の高速インタフェースへの接続手段を有している。また、コンピュータも同じくＬＡＮへの接続手段及びこの高速インタフェースへの接続手段を有しており、このビデオデータ再生装置とコンピュータとが、ＬＡＮとこの高速インタフェースとの両方で接続されている。
【００２６】
そして、このビデオデータ再生装置は、記録媒体に記録されたビデオデータのうちの一定の範囲のビデオデータをファイルとして指定するファイル情報と、このファイル情報で指定された範囲のビデオデータの転送を要求する転送コマンドとをＬＡＮ経由で（このコンピュータまたはその他のノードから）受信したことに基づき、このファイル情報で指定された範囲のビデオデータを記録媒体から再生し、再生したビデオデータを高速インタフェース経由でコンピュータに転送する。コンピュータは、転送されたビデオデータをファイルとして登録する。
【００２７】
このように、ファイルの登録のために必要なファイル情報や転送コマンドは、ＬＡＮ経由で（すなわちｈｔｔｐプロトコル等の一般的なプロトコルで）送信し、他方、データ量の大きいビデオデータのほうは高速インタフェース経由で転送する、という経路の使い分けを行うことにより、コンピュータのＣＰＵの負荷を軽減することができるとともに、高解像度のビデオデータを、ビデオデータ再生装置から高速にコンピュータに転送して、コンピュータでファイルとして登録することができる。
【００２８】
次に、本発明に係るビデオデータ転送システムは、記録媒体に記録されたビデオデータを再生するビデオデータ再生装置であって、ＬＡＮへの接続手段と、シリアル転送，パラレル転送のうちのいずれかの転送方式の高速インタフェースへの接続手段とを有するビデオデータ再生装置と、ＬＡＮへの接続手段及びこの高速インタフェースへの接続手段を有するコンピュータとがＬＡＮとこの高速インタフェースとの両方で接続されており、このコンピュータと、ランダムアクセス可能な記録装置とがこの高速インタフェースで接続されており、このビデオデータ再生装置は、記録媒体に記録されたビデオデータのうちの一定の範囲のビデオデータをファイルとして指定するファイル情報と、このファイル情報で指定された範囲のビデオデータの転送を要求する転送コマンドとをＬＡＮ経由で受信したことに基づき、このファイル情報で指定された範囲のビデオデータを記録媒体から再生し、再生したビデオデータをこの高速インタフェース経由でこのコンピュータに転送し、このコンピュータは、この高速インタフェース経由で受信したビデオデータを、ファイルとして登録した後、この高速インタフェース経由でこの記録装置に転送してこの記録装置に格納させることを特徴とする。
【００２９】
このビデオデータ転送システムでは、ビデオデータ再生装置が、ＬＡＮへの接続手段を有するだけでなく、シリアル転送，パラレル転送のうちのいずれかの転送方式の高速インタフェースへの接続手段を有している。また、コンピュータも同じくＬＡＮへの接続手段及びこの高速インタフェースへの接続手段を有しており、このビデオデータ再生装置とコンピュータとが、ＬＡＮとこの高速インタフェースとの両方で接続されている。さらに、このコンピュータと、ランダムアクセス可能な記録装置とが、この高速インタフェースで接続されている。
【００３０】
そして、このビデオデータ再生装置は、記録媒体に記録されたビデオデータのうちの一定の範囲のビデオデータをファイルとして指定するファイル情報と、このファイル情報で指定された範囲のビデオデータの転送を要求する転送コマンドとをＬＡＮ経由で（このコンピュータまたはその他のノードから）受信したことに基づき、このファイル情報で指定された範囲のビデオデータを記録媒体から再生し、再生したビデオデータを高速インタフェース経由でコンピュータに転送する。このコンピュータは、転送されたビデオデータを、ファイルとして登録した後、高速インタフェース経由でこの記録装置に転送してこの記録装置に格納させる。
【００３１】
このように、ファイルの登録のために必要なファイル情報や転送コマンドはＬＡＮ経由で（すなわちｈｔｔｐプロトコル等の一般的なプロトコルで）送信し、他方、データ量の大きいビデオデータのほうは高速インタフェース経由で転送する、という経路の使い分けを行うことにより、コンピュータのＣＰＵの負荷を軽減することができるとともに、高解像度のビデオデータを、ビデオデータ再生装置から高速にコンピュータに転送して、コンピュータでファイルとして登録することができる。
【００３２】
また、登録したファイルが高速インタフェース経由でランダムアクセス可能な記録装置に転送されてこの記録装置に格納されるので、例えばＳＡＮ（ストレージエリアネットワーク）において複数のサーバーがこのファイルを共有することができるようになる。
【発明の効果】
【００３３】
本発明によれば、記録媒体に記録されたビデオデータを再生するビデオデータ再生装置から、ビデオデータをコンピュータに転送してファイルとして登録する際に、ファイルの登録のために必要なファイル情報や転送コマンドはＬＡＮ経由で（すなわちｈｔｔｐプロトコル等の一般的なプロトコルで）送信し、他方、データ量の大きいビデオデータのほうはシリアル転送方式またはパラレル転送方式の高速インタフェース経由で転送する、という経路の使い分けを行うことにより、コンピュータのＣＰＵの負荷を軽減することができるとともに、高解像度のビデオデータを、ビデオデータ再生装置から高速にコンピュータに転送して、コンピュータでファイルとして登録することができるという効果が得られる。
【００３４】
また、登録したファイルが高速インタフェース経由でランダムアクセス可能な記録装置に転送されてこの記録装置に格納されるので、例えばＳＡＮ（ストレージエリアネットワーク）において複数のサーバーがこのファイルを共有することができるという効果が得られる
【００３５】
また、ファイルの登録のために必要なファイル情報をビデオデータ再生装置に送信する前に、コンピュータにプロキシビデオデータをモニター表示させて、ファイルとして登録しようとするビデオデータの範囲を決定することができるという効果も得られる。
【００３６】
また、比較的単純なプロトコルであるＳＣＳＩプロトコルによって、高解像度のビデオデータを高速にコンピュータに転送することができるという効果も得られる。
【００３７】
また、テープ状記録媒体に記録された高解像度のビデオデータを、高速にコンピュータに転送できるという効果も得られる。
【発明を実施するための最良の形態】
【００３８】
以下、本発明をＶＴＲやノンリニア編集システムに適用した例について、図面を用いて具体的に説明する。
【００３９】
図１は、本発明を適用したＶＴＲを、ノンリニア編集システム内のコンピュータに接続した状態を示す図である。このＶＴＲ１は、イーサネット・インタフェースを有するとともに、ファイバチャネル・インタフェースを有している。ノンリニア編集システム内のコンピュータ（ワークステーションまたはパーソナルコンピュータ）２も、同じくイーサネット・インタフェース及びファイバチャネル・インタフェースを有している。
【００４０】
ＶＴＲ１とコンピュータ２は、イーサネット（例えばギガ・イーサネット）３とファイバチャネル４との両方で接続されている。なお、ＶＴＲ１やコンピュータ２は、イーサネット・インタフェース及びファイバチャネル・インタフェースを内蔵したものであってもよいし、あるいはそれらのインタフェースをボード等の形で装着したものであってもよい。
【００４１】
図２は、ＶＴＲ１の回路構成を示すブロック図である。ＶＴＲ１は、イーサネット・インタフェース１１及びファイバチャネル・インタフェース１２を有している。ファイバチャネル・インタフェース１２でビデオデータが受信されると、そのビデオデータが、ＢＲＲ（ビットレートリダクション）エンコーダ１４で圧縮され、ＥＣＣエンコーダ１７でパリティを付加され、記録回路２０で変調等の処理を施されて、記録ヘッド２５により磁気テープ２４に記録される。
【００４２】
また、イーサネット・インタフェース１１でオーディオデータやメタデータが受信されると、そのオーディオデータやメタデータが、ＥＣＣエンコーダ１７でパリティを付加され、記録回路２０で変調等の処理を施されて、記録ヘッド２５により磁気テープ１４に記録される。
【００４３】
複数チャンネルの再生ヘッド２６による磁気テープ２４からの再生信号は、チャンネル復号器２１でチャンネル復号され、ＥＣＣデコーダ１８でエラー訂正される。ＥＣＣデコーダ１８から出力されたビデオデータは、ＢＲＲデコーダ１５で伸張され、ファイバチャネル・インタフェース１２に送られるとともに、プロキシコーデック１３でプロキシビデオデータ（低解像度のビデオデータ）に圧縮されてイーサネット・インタフェース１１に送られる。
【００４４】
また、ＥＣＣデコーダ１８から出力されたオーディオデータやメタデータは、イーサネット・インタフェース１１に送られる。
【００４５】
イーサネット・インタフェース１１で受信されたオーディオデータやメタデータ以外の情報やコマンドは、ＶＴＲ全体を制御するシステムＣＰＵ１６に送られる。システムＣＰＵ１６は、この情報やコマンドに基づき、サーボＣＰＵ１９を介してドラムドライバ２２及びキャプスタンドライバ２３を制御したり、各エンコーダ，デコーダ等での信号処理の設定を行う。
【００４６】
図３は、システムＣＰＵ１６がビデオデータの転送等に関して実行する処理を示すフローチャートである。この処理では、シャトル転送コマンド等のビデオデータの再生コマンドを受信したか否かの判断（ステップＳ１）と、磁気テープ２４に記録されたビデオデータのうちの一定の範囲のビデオデータをファイルとして指定するファイル情報と、そのファイル情報で指定された範囲のビデオデータの転送を要求する転送コマンドとを受信したか否かの判断（ステップＳ２）とを、いずれかのステップでイエスになるまで繰り返す。
【００４７】
ステップＳ１でイエスになると、その再生コマンドに基づいてドラムドライバ２２やキャプスタンドライバ２３を制御して再生ヘッド２６で再生を行い、チャンネル復号器２１，ＥＣＣデコーダ１８，ＢＲＲデコーダ１５及びプロキシコーデック１３の信号処理によって得られたプロキシビデオデータを、イーサネット・インタフェース１１からその再生コマンドの送信元のノードに転送する（ステップＳ３）。そしてステップＳ１に戻る。
【００４８】
ステップＳ２でイエスになると、ドラムドライバ２２やキャプスタンドライバ２３を制御して、指定された範囲のビデオデータ（クリップ）を再生ヘッド２６で再生し、チャンネル復号器２１，ＥＣＣデコーダ１８及びＢＲＲデコーダ１５の信号処理によって得られたビデオデータを、ファイバチャネル・インタフェース１２から転送する（ステップＳ４）。また、チャンネル復号器２１，ＥＣＣデコーダ１８，ＢＲＲデコーダ１５及びプロキシコーデック１３の信号処理によって得られたプロキシビデオデータや、チャンネル復号器２１及びＥＣＣデコーダ１８の信号処理によって得られたオーディオデータ，メタデータを、イーサネット・インタフェース１１から転送する（ステップＳ５）。そしてステップＳ１に戻る。
【００４９】
図１のコンピュータ２のモニターには、ＶＴＲ１内のビデオデータをノンリニア編集システムにファイルとして登録するためのＧＵＩ画面が表示される。図４は、このＧＵＩ画面の一例を示す。ＶＴＲ１にシャトル再生，１倍速再生，早送り再生，巻き戻し再生，再生の停止を行わせるためのＶＴＲコントロールボタン３１や、再生中のビデオデータが画像表示される画像表示部３２や、再生中のビデオデータのタイムコードが表示されるタイムコード表示部３３や、ファイルとして登録しようとするビデオデータの範囲（先頭部分及び終端部分）を選択するためのＴＯＰ／ＥＮＤ選択ボタン３４や、登録しようとするファイルのファイル名を入力するためのファイル名入力部３５や、ＴＯＰ／ＥＮＤ選択ボタン３４の操作及びファイル名入力部３５の入力内容を確定する（ファイルを登録する）ための登録ボタン３６や、登録したファイルの範囲（先頭部分及び終端部分のタイムコード）が表示されるファイル範囲表示部３７等が設けられている。
【００５０】
図５は、コンピュータ２内のＣＰＵが、このＧＵＩ画面上での操作に基づいて実行する処理を示すフローチャートである。この処理では、ＶＴＲコントロールボタン３１（図４）でビデオデータを再生させる操作が行われたか否かの判断（ステップＳ１１）と、登録ボタン３６（図４）が操作が行われたか否かの判断（ステップＳ１２）とを、いずれかのステップでイエスになるまで繰り返す。
【００５１】
ステップＳ１１でイエスになると、ＶＴＲコントロールボタン３１の操作内容に応じた再生コマンド（例えばシャトル再生の操作が行われた場合にはシャトル再生コマンド）を、コンピュータ２からイーサネット３（図１）経由でＶＴＲ１（図１）に送信する（ステップＳ１３）。
【００５２】
続いて、イーサネット３経由でプロキシビデオデータを受信すると、そのプロキシビデオデータを、このＧＵＩ画面の画像表示部３２（図４）に表示する（ステップＳ１４）。そしてステップＳ１１に戻る。
【００５３】
ステップＳ１２でイエスになると、登録ボタン３６の操作の直前にＴＯＰ／ＥＮＤ選択ボタン３４で選択された範囲のビデオデータをファイルとして指定するファイル情報と、このファイル情報が示す範囲のビデオデータの転送を要求する転送コマンドとを、コンピュータ２からイーサネット３経由でＶＴＲ１に送信する（ステップＳ１５）。
【００５４】
続いて、ファイバチャネル４経由でビデオデータを受信すると、そのビデオデータをファイルとして登録（コンピュータ２内のハードディスクに保存）する（ステップＳ１６）。そして、モニターの画面を切り替えて、登録済みのファイルのリストを表示する（ステップＳ１７）。
【００５５】
また、イーサネット３経由でプロキシビデオデータ（すなわち今回登録したファイルのプロキシビデオデータ）を受信すると、そのプロキシビデオデータを表示する（ステップＳ１８）。また、イーサネット３経由でオーディオデータを受信すると、そのオーディオデータをファイルとして登録する（ステップＳ１９）。そしてステップＳ１１に戻る。
【００５６】
図６は、図５の処理のステップＳ１７，Ｓ１８によってモニターに表示される画面の一例を示す。登録済みの各ファイルのファイル名，サイズ，先頭部分及び終端部分のタイムコード，登録日時等が表示されるファイルリスト表示部４１と、今回登録したファイルのプロキシビデオデータが表示される画像表示部４２とが設けられている。
【００５７】
図１のコンピュータ２に、ＶＴＲ１内のビデオデータがファイルとして登録される様子は、次の通りである。コンピュータ２を操作するオペレータが、図４のＧＵＩ画面で、ＶＴＲコントロールボタン３１のうちの例えばシャトル再生ボタンを操作すると、コンピュータ２から、シャトル再生コマンドがイーサネット３経由でＶＴＲ１に送信される（図５のステップＳ１１，Ｓ１３）。
【００５８】
ＶＴＲ１では、この再生コマンドに基づいてビデオデータがシャトル再生され、解像度を下げたプロキシビデオデータがイーサネット３経由でコンピュータ２に転送される（図３のステップＳ１，Ｓ３）。
【００５９】
コンピュータ２では、転送されたプロキシビデオデータが、図４のＧＵＩ画面の画像表示部３２に表示される（図５のステップＳ１４）。そして、オペレータが、この画像表示部３２のシャトル画像を見ながら、ファイルとして登録しようとするビデオデータの範囲をＴＯＰ／ＥＮＤ選択ボタン３４で選択し、登録しようとするファイルのファイル名をファイル名入力部３５に入力した後に、登録ボタン３６を操作すると、コンピュータ２から、ＴＯＰ／ＥＮＤ選択ボタン３４で選択された範囲のビデオデータをファイルとして指定するファイル情報と、このファイル情報が示す範囲のビデオデータの転送を要求する転送コマンドとが、イーサネット３経由でＶＴＲ１に送信される（図５のステップＳ１２，Ｓ１５）。
【００６０】
ＶＴＲ１では、このファイル情報及び転送コマンドに基づき、指定された範囲のビデオデータ（クリップ）が再生され、そのビデオデータがファイバチャネル４経由でコンピュータ２に転送されるとともに、そのビデオデータの解像度を下げたプロキシビデオデータや、オーディオデータ，メタデータがイーサネット３経由でコンピュータ２に転送される（図３のステップＳ２，Ｓ４，Ｓ５）。
【００６１】
コンピュータ２では、転送されたビデオデータがファイルとして登録され、登録済みのファイルのリストが表示される（図６のファイルリスト表示部４１）とともに、転送されたプロキシビデオデータ（今回登録したファイルのプロキシビデオデータ）が画像表示される（図６の画像表示部４２）（図５のステップＳ１６〜Ｓ１８）。
【００６２】
このように、ファイルの登録のために必要なファイル情報及び転送コマンドや、プロキシビデオデータや、オーディオデータ，メタデータは、ファイバチャネル４ではなくイーサネット３経由で（すなわちファイバチャネル４に特有のプロトコルではなくｈｔｔｐプロトコルやＦＴＰのような一般的なプロトコルで）送信し、他方、データ量の大きいビデオデータのほうは、高速転送が可能なファイバチャネル４経由で転送する、という経路の使い分けを行うことにより、コンピュータ２のＣＰＵの負荷を軽減することができるとともに、磁気テープ２４（図２）に記録された高解像度のビデオデータ（例えば、非圧縮のＨＤＴＶ信号や、ＨＤＴＶ信号を超える高解像度の信号）を、ＶＴＲ１から高速にコンピュータ２に転送して、コンピュータ２でファイルとして登録することができる。
【００６３】
また、オペレータは、ファイルの登録のために必要なファイル情報（一定範囲のビデオデータをファイルとして指定するファイル情報）をＶＴＲ１に送信する前に、コンピュータ２にプロキシビデオデータをモニター表示させて、ファイルとして登録しようとするビデオデータの範囲を決定することができる。
【００６４】
また、このビデオデータを転送する高速インタフェースとしてファイバチャネル４を利用することにより、比較的単純なプロトコルであるＳＣＳＩプロトコルによって、高解像度のビデオデータを高速にコンピュータに転送することができる。
【００６５】
次に、図７は、本発明を、より拡張したノンリニア編集システムに適用した例を示す図である。このノンリニア編集システムでは、図１に示したＶＴＲ１と、イーサネット・インタフェース及びファイバチャネル・インタフェースを有する複数台のワークステーション（サーバー）５１（１）〜５１（ｎ）と、ＲＡＩＤ構成の大容量のストレージ５２と、テープライブラリ５３と、メタデータサーバー５４とが、スイッチ（ファブリック）５５を用いてファイバチャネル５６で接続されることによってＳＡＮ（ストレージエリアネットワーク）が構成されている。
【００６６】
また、ＶＴＲ１と、各ワークステーション５１（１）〜５１（ｎ）と、複数台のパーソナルコンピュータ（エンドユーザークライアント）５７（１）〜５７（ｍ）とが、イーサネット（例えばギガ・イーサネット）５８で接続されている。
【００６７】
このノンリニア編集システムでは、図１に示したコンピュータ２の機能が、ワークステーション５１（１）とパーソナルコンピュータ５７（１）とで分担されている。すなわち、図４のＧＵＩ画面の表示機能や、このＧＵＩ画面上での操作に基づくファイル情報や転送コマンドの送信機能は、パーソナルコンピュータ５７（１）が有しており、ビデオデータをファイルとして登録する機能は、ワークステーション５１（１）が有している。また、ワークステーション５１（１）は、登録したファイルを、ファイバチャネル５６及びスイッチ５５経由でストレージ５２に転送して、ストレージ５２に格納させる。
【００６８】
図５に示したコンピュータ２の処理に即していえば、ステップＳ１１〜Ｓ１５，Ｓ１７，Ｓ１８はパーソナルコンピュータ５７（１）が実行し、ステップＳ１６，Ｓ１９はワークステーション５１（１）が実行する。
【００６９】
パーソナルコンピュータ５７（２）〜５７（ｍ）は、例えば、ワークステーション５１（２）〜５１（ｎ）をサーバーとして、ストレージ５２に格納されたファイルを編集する機能を有している。メタデータサーバー５４は、共有ファイルシステムであるＣＸＦＳ（「ＣＸＦＳ」は登録商標）による各ワークステーション５１（１）〜５１（ｎ）のストレージ５２やテープライブラリ５３へのアクセスを、トークンを使って管理する。
【００７０】
このノンリニア編集システムにおいて、ワークステーション５１（１）に、ＶＴＲ１内のビデオデータがファイルとして登録される様子は、次の通りである。パーソナルコンピュータ５７（１）を操作するオペレータが、図４のＧＵＩ画面で、ＶＴＲコントロールボタン３１のうちの例えばシャトル再生ボタンを操作すると、パーソナルコンピュータ５７（１）から、シャトル再生コマンドがイーサネット５８経由でＶＴＲ１に送信される。
【００７１】
ＶＴＲ１では、この再生コマンドに基づいてビデオデータがシャトル再生され、解像度を下げたプロキシビデオデータがイーサネット５８経由でパーソナルコンピュータ５７（１）に転送される（図３のステップＳ１，Ｓ３）。
【００７２】
パーソナルコンピュータ５７（１）では、転送されたプロキシビデオデータが、図４のＧＵＩ画面の画像表示部３２に表示される。そして、オペレータが、この画像表示部３２のシャトル画像を見ながら、ファイルとして登録しようとするビデオデータの範囲をＴＯＰ／ＥＮＤ選択ボタン３４で選択し、登録しようとするファイルのファイル名をファイル名入力部３５に入力した後に、登録ボタン３６を操作すると、パーソナルコンピュータ５７から、ＴＯＰ／ＥＮＤ選択ボタン３４で選択された範囲のビデオデータをファイルとして指定するファイル情報と、このファイル情報が示す範囲のビデオデータのワークステーション５１（１）への転送を要求する転送コマンドとが、イーサネット５８経由でＶＴＲ１に送信される。
【００７３】
ＶＴＲ１では、このファイル情報及び転送コマンドに基づき、指定された範囲のビデオデータ（クリップ）が再生され、そのビデオデータがファイバチャネル５６及びスイッチ５５経由でワークステーション５１（１）に転送され、オーディオデータ，メタデータがイーサネット５８経由でワークステーション５１（１）経由に転送され、解像度を下げたプロキシビデオデータがイーサネット５８経由でパーソナルコンピュータ５７（１）に転送される。
【００７４】
ワークステーション５１（１）では、転送されたビデオデータ，オーディオデータがファイルとして登録された後、そのファイルと、そのファイルの格納を要求する転送コマンド（ＳＣＳＩ転送コマンド）とが、ファイバチャネル５６及びスイッチ５５経由でストレージ５２に転送される。ストレージ５２では、この転送コマンドに基づき、転送されたファイルが格納される。また、ワークステーション５１（１）に転送されたメタデータは、ワークステーション５１（１）からメタデータサーバー５４に転送される。
【００７５】
パーソナルコンピュータ５７（１）では、登録済みのファイルのリストが表示される（図６のファイルリスト表示部４１）とともに、転送されたプロキシビデオデータ（今回登録したファイルのプロキシビデオデータ）が画像表示される（図６の画像表示部４２）。
【００７６】
このようにして、ワークステーション５１（１）のＣＰＵの負荷を軽減することができるとともに、磁気テープ２４（図２）に記録された高解像度のビデオデータを、ＶＴＲ１から高速にワークステーション５１（１）に転送して、ワークステーション５１（１）でファイルとして登録することができる。
【００７７】
また、登録したファイルがストレージ５２に格納されるので、このＳＡＮにおいて、サーバーである各ワークステーション５１（１）〜５１（ｎ）がこのファイルを共有することができるようになる。
【００７８】
なお、図７の例では、図１に示したコンピュータ２の機能が、ワークステーション５１（１）とパーソナルコンピュータ５７（１）とで分担されている。しかし、別の例として、コンピュータ２の機能を全てワークステーション５１（１）に持たせる（図４のＧＵＩ画面の表示機能や、このＧＵＩ画面上での操作に基づくファイル情報や転送コマンドの送信機能もワークステーション５１（１）に持たせる）ようにしてもよい。
【００７９】
また、以上の例では、オーディオデータ，メタデータをイーサネット経由で転送している。しかし、図１の例において、オーディオデータ，メタデータをファイバチャネル４経由で転送したり、図７の例においてワークステーション５１（１）に図１のコンピュータ２の機能を全て持たせる場合に、オーディオデータ，メタデータをファイバチャネル５６及びスイッチ５５経由で転送してもよい。
【００８０】
また、以上の例では、ビデオデータを転送する高速インタフェースとしてファイバチャネルを利用している。しかし、これに限らず、ファイバチャネル以外のシリアル転送方式またはパラレル転送方式の高速インタフェース（例えば、「ＨＩＰＰＩ（High-Performance Parallel Interface）」，「InfiniBand」，パラレルＳＣＳＩ等）を利用してビデオデータを転送してもよい。
【００８１】
また、以上の例では、ＶＴＲに本発明を適用している。しかし、これに限らず、テープ状記録媒体に記録されたビデオデータを再生する、ＶＴＲ以外のビデオデータ再生装置（例えばＶＣＲ）にも本発明を適用してよい。あるいはまた、ＤＶＤプレーヤのような、独自のファイルシステムを持つビデオデータ再生装置に本発明を適用し、そのビデオデータ再生装置からコンピュータに転送したビデオデータを、コンピュータでファイル形式を変換して登録するようにしてもよい。
【００８２】
また、以上の例では、ノンリニア編集システムに本発明を適用している。しかし、これに限らず、記録媒体に記録されたビデオデータを再生するビデオデータ再生装置から、高解像度のビデオデータを高速にコンピュータに転送してファイルとして登録する必要のあるあらゆるシステムに本発明を適用してよい。
【図面の簡単な説明】
【００８３】
【図１】本発明を適用したＶＴＲを、ノンリニア編集システム内のコンピュータに接続した状態を示す図である。
【図２】図１のＶＴＲの回路構成を示すブロック図である。
【図３】図２のシステムＣＰＵがビデオデータの転送等に関して実行する処理を示すフローチャートである。
【図４】図１のコンピュータのモニターに表示されるＧＵＩ画面の一例を示す図である。
【図５】図１のコンピュータ内のＣＰＵが、ＧＵＩ画面上での操作に基づいて実行する処理を示すフローチャートである。
【図６】図５の処理によってモニター表示される画面の一例を示す図である。
【図７】本発明を、より拡張したノンリニア編集システムに適用した例を示す図である。
【符号の説明】
【００８４】
１  ＶＴＲ、  ２  コンピュータ、  ３，５８  イーサネット、  ４，５５  ファイバチャネル、  １１  イーサネット・インタフェース、  １２  ファイバチャネル・インタフェース、  ５１（１）〜５１（ｎ）  ワークステーション、  ５２  ストレージ、  ５７（１）〜５７（ｍ）  パーソナルコンピュータ
【図１】
2005333245.tif 000003
【図２】
2005333245.tif 000004
【図３】
2005333245.tif 000005
【図４】
2005333245.tif 000006
【図５】
2005333245.tif 000007
【図６】
2005333245.tif 000008
【図７】
2005333245.tif 000009